(57)【要約】【課題】ＦＰＣ実装工程後の作業において、ＦＰＣとアレイ基板の接続部における断線が生じない液晶表示装置の製造方法及びこれに用いる吸着冶具を提供する。【解決手段】アレイ基板と対向基板との間に配向膜を介して液晶層が保持されてなる液晶セルと、アレイ基板が対向基板から突出した突出部に接続されたフレキシブル配線基板とを含む液晶表示装置の製造方法において、液晶セルとフレキシブル配線基板を持ち上げて作業をする際に、前記液晶セルを吸着保持する吸着部とフレキシブル配線基板を吸着保持する吸着部とを備えた一体又は２連式の吸着冶具を用いる。【選択図】図１
2008242074.tif 000002
【特許請求の範囲】
【請求項１】
アレイ基板と対向基板との間に配向膜を介して液晶層が保持されてなる液晶セルと、前記アレイ基板が対向基板から突出した突出部に接続されたフレキシブル配線基板とを含む液晶表示装置の製造方法であって、
液晶セルとフレキシブル配線基板を持ち上げて作業をする際に、前記液晶セルを吸着保持する吸着部とフレキシブル配線基板を吸着保持する吸着部とを備えた一体又は２連式の吸着冶具を用いる
ことを特徴とする液晶表示装置の製造方法。
【請求項２】
前記吸着保持が、フレキシブル配線基板上に電極露出部保護のために樹脂を塗布する際に行われることを特徴とする、請求項１に記載の液晶表示装置の製造方法。
【請求項３】
アレイ基板と対向基板との間に配向膜を介して液晶層が保持されてなる液晶セルと、前記アレイ基板が対向基板から突出した突出部に接続されたフレキシブル配線基板とを含む液晶表示装置の製造に用いる吸着冶具であって、
液晶セルを吸着保持する吸着部とフレキシブル配線基板を吸着保持する吸着部とを備えた一体又は２連式の吸着冶具。
【発明の詳細な説明】
【技術分野】
【０００１】
本発明は、液晶セルとフレキシブル配線基板（以下、「ＦＰＣ」と省略する）が接続されてなる液晶表示装置の製造方法及びこれに用いる吸着冶具に関する。
【背景技術】
【０００２】
近年、アレイ基板と対向基板との間に配向膜を介して液晶層が保持されてなる液晶セルにＦＰＣを実装して液晶表示装置が製造されている（例えば、特許文献１）。
【０００３】
図２は、そのようなＦＰＣ実装液晶セルの例を示す模式端面図である。図２において、符号１は液晶セル、２はアレイ基板、３は対向基板、４，５は偏光板、６はＦＰＣ、７は絶縁膜をそれぞれ示す。本図に示すように、アレイ基板２は対向基板３よりも大きく形成され、対向基板３から一部が突出し、その突出した部分の端部がＦＰＣ６の端部と異方性導電膜（ＡＣＦ）等を用いて接続されている。ＦＰＣ６は表面保護のために絶縁膜７によって被覆されている。
【０００４】
ＦＰＣ６は、アレイ基板２と接続されている側の端部の一定幅の部分が絶縁膜７で被覆されておらず、電極が露出しており、この部分の保護のために樹脂が塗布される。
【０００５】
このようなＦＰＣ実装工程後の作業のために、液晶セル１を、接続されたＦＰＣ６と共に持ち上げたり反転したりする必要があり、特に小型の液晶セルの場合、従来は図に示すように液晶セル１の表面に吸着する吸着部を１個有する吸着冶具（バキュームチャック）８を用いてそのような作業を行っていた。
【０００６】
しかし、ＦＰＣ６とアレイ基板２との接続部は比較的狭い面積で接続されているため、この接続部に大きな負荷がかかり易く、特に図中に矢印で示す方向に屈曲する方向に負荷がかかると接続部での断線が生じるという問題があった。
【特許文献１】特開平５−１４４８７５号公報
【発明の開示】
【発明が解決しようとする課題】
【０００７】
本発明は、上記に鑑みてなされたものであり、ＦＰＣ実装工程後の作業において、ＦＰＣとアレイ基板の接続部における断線が生じない液晶表示装置の製造方法及びこれに用いる吸着冶具を提供することを目的とする。
【課題を解決するための手段】
【０００８】
本発明の液晶表示装置の製造方法は、アレイ基板と対向基板との間に配向膜を介して液晶層が保持されてなる液晶セルと、前記アレイ基板が対向基板から突出した突出部に接続されたフレキシブル配線基板とを含む液晶表示装置の製造方法であって、上記の課題を解決するために、液晶セルとフレキシブル配線基板を持ち上げて作業をする際に、前記液晶セルを吸着保持する吸着部とフレキシブル配線基板を吸着保持する吸着部とを備えた一体又は２連式の吸着冶具を用いるものとする。
【０００９】
本発明の吸着冶具は、アレイ基板と対向基板との間に配向膜を介して液晶層が保持されてなる液晶セルと、前記アレイ基板が対向基板から突出した突出部に接続されたフレキシブル配線基板とを含む液晶表示装置の製造に用いる吸着冶具であって、液晶セルを吸着保持する吸着部とフレキシブル配線基板を吸着保持する吸着部とを備えた一体又は２連式の吸着冶具とする。
【発明の効果】
【００１０】
本発明によれば、ＦＰＣ実装工程後の作業において、ＦＰＣとアレイ基板の接続部で断線が生じるのを防止でき、液晶表示装置の不良品発生率を大きく低下させることが可能となる。
【発明を実施するための最良の形態】
【００１１】
以下、図を用いて本発明を説明するが、本発明はこれに限定されるものではない。
【００１２】
図１は、ＦＰＣ６が実装された液晶セル１（以下、これを「ＦＰＣ実装液晶セル」と称する）が、本発明の吸着冶具によって保持された例を示す模式端面図である。本図において、図２と同じ符号のものは同じものを示す。
【００１３】
本発明の吸着冶具９は、液晶セル１を吸着保持する吸着部（バキュームチャック）１０と、ＦＰＣ６を吸着保持する吸着部１１と、これらの吸着部１０，１１を相互に連結固定する連結部１２とからなる。
【００１４】
吸着部１０，１１は、ゴムや合成樹脂により形成され、吸盤の原理で負圧により物体を吸着保持するようになされたものである。本発明の吸着冶具には、これら吸着部の負圧解除手段を設け、１個の解除レバー（図示せず）を引くことにより両吸着部１０，１１の負圧が解除されるように構成することが好ましい。
【００１５】
連結部１２は、その形状や構造は特に限定されず、上記２個の吸着部１０，１１が液晶セル１の表面とＦＰＣ６の表面にそれぞれ吸着した際に、これらの吸着部が相互に移動しないように両吸着部１０，１１を連結固定するものであればよい。
【００１６】
図１に示した例では、連結部１２は、吸着状態において液晶セル１とほぼ平行になる水平部分１２ａと、この水平部分１２ａとほぼ垂直をなし、先端に吸着部１０，１１が設けられる支柱部１２ｂ及び１２ｃからなる。支柱部１２ｂと１２ｃは、水平部分１２ａが液晶セル１とほぼ平行になるように、液晶セル１とＦＰＣ６の上面の高さの差を考慮して長さが調整されている。すなわち、上面の高さがより高い液晶セル１側の支柱部１２ｂの長さを、ＦＰＣ６側の支柱部１２ｃの長さより短くしてある。
【００１７】
なお、水平部分１２ａは板状でも梁（はり）状でもよく、また２つの板状部分又は梁状部分が連動するように連結具によりつなぎ合わされた２連式のものでもよい。
【００１８】
吸着冶具を上記のように構成した場合、水平部分１２ａを液晶セル１とほぼ平行に保持しつつ吸着冶具９をＦＰＣ実装液晶セル１に押し当てた際に、吸着部１０，１１をそれぞれ液晶セル１及びＦＰＣ６の表面にほぼ垂直に、かつほぼ同時に当接させることができ、そのままの状態で液晶セル１及びＦＰＣ６を吸着保持することができる。従って、その後の作業において液晶セル１とＦＰＣ６との接続部に負荷がかからず、断線を防止することができる。
【００１９】
上記吸着冶具９で液晶セル１及びＦＰＣ６を吸着保持した状態で、ＦＰＣ実装液晶セル１を作業の必要に応じて持ち上げたり反転させたりして、ＦＰＣ６の電極露出部の樹脂塗布等の作業を行う。作業終了後は両吸着部１０，１１の吸着状態を解除させて、ＦＰＣ実装液晶セル１を所定の場所に載置すればよい。
【図面の簡単な説明】
【００２０】
【図１】本発明の一実施例にかかる吸着冶具で保持されたＦＰＣ実装液晶セルを示す模式端面図である。
【図２】従来の吸着冶具で保持されたＦＰＣ実装液晶セルを示す模式端面図である。
【符号の説明】
【００２１】
１……液晶セル
２……アレイ基板
３……対向基板
４，５……偏光板
６……ＦＰＣ
７……絶縁膜
８，１０，１１……吸着部（バキュームチャック）
９……吸着冶具
１２……連結部
【図１】
2008242074.tif 000003
【図２】
2008242074.tif 000004